(57)【要約】受信機の自動利得制御（ＡＧＣ）によるブロッカマージンの動的サイジングのための方法が説明される。方法は、所望信号レベルおよびブロッカ信号レベルを測定することを含む。方法はまた、ブロッカ信号レベルに基づいて、受信機のアナログ／デジタル変換器（ＡＤＣ）の出力における所望信号レベルについての線形ターゲットを調整することを含む。線形ターゲットは、所望信号信号対ノイズ比（ＳＮＲ）およびブロッカマージンを最適化するように調整される。方法は、調整された線形ターゲットに基づいて、受信機フロントエンド利得を調整することをさらに含む。【選択図】図１
2019501571.tif 000002
【特許請求の範囲】
【請求項１】
受信機の自動利得制御（ＡＧＣ）によるブロッカマージンの動的サイジングのための方法であって、
所望信号レベルおよびブロッカ信号レベルを測定することと、
前記ブロッカ信号レベルに基づいて、前記受信機のアナログ／デジタル変換器（ＡＤＣ）の前記出力における前記所望信号レベルについての線形ターゲットを調整することと、ここにおいて、前記線形ターゲットは、所望信号信号対ノイズ比（ＳＮＲ）および前記ブロッカマージンを最適化するように調整される、
前記調整された線形ターゲットに基づいて、受信機フロントエンド利得を調整することと
を備える方法。
【請求項２】
前記ブロッカマージンは、前記所望信号ＳＮＲを考慮した後に残る前記ＡＤＣのダイナミックレンジの量である、請求項１に記載の方法。
【請求項３】
ブロッカ信号レベルが検出されるとき、前記ＡＤＣの前記出力において十分な所望信号ＳＮＲを確保しつつ、より多くのブロッカマージンを提供するように、前記線形ターゲットが調整される、請求項１に記載の方法。
【請求項４】
前記線形ターゲットを調整することは、
前記測定されたブロッカ信号レベルに基づいて、異なる線形ターゲットの中から前記線形ターゲットを選択することを備え、ここにおいて、前記異なる線形ターゲットの各々は、異なるブロッカ信号レベルに対応する、請求項１に記載の方法。
【請求項５】
前記線形ターゲットは、弱いブロッカ信号レベルと比較して、強いブロッカ信号レベルが検出されるときより大きいブロッカマージンを提供するように調整される、請求項１に記載の方法。
【請求項６】
前記線形ターゲットは、どのブロッカ信号レベルにも対応しない初期線形ターゲットから調整される、請求項１に記載の方法。
【請求項７】
前記線形ターゲットは、所与の所望信号レベル測定に適用すべき前記受信機フロントエンド利得を指定する、請求項１に記載の方法。
【請求項８】
前記ブロッカマージンの前記動的サイジングは、データパケットを受信すると発生する、請求項１に記載の方法。
【請求項９】
前記所望信号レベルは、前記線形ターゲットが線形ターゲット領域内のどの所望信号レベルについても一定のままとなるように、前記受信機フロントエンド利得と線形関係を有する、請求項１に記載の方法。
【請求項１０】
前記所望信号レベルおよび前記ブロッカ信号レベルは、デジタルサブシステムにおいてインバンドで測定される、請求項１に記載の方法。
【請求項１１】
ブロッカマージンの動的サイジングのためのワイヤレス通信デバイスであって、
プロセッサと、
前記プロセッサと電子通信状態にあるメモリと、
前記メモリに記憶された命令と
を備え、前記命令は、
所望信号レベルおよびブロッカ信号レベルを測定することと、
前記ブロッカ信号レベルに基づいて、受信機のアナログ／デジタル変換器（ＡＤＣ）の前記出力における前記所望信号レベルについての線形ターゲットを調整することと、ここにおいて、前記線形ターゲットは、所望信号信号対ノイズ比（ＳＮＲ）および前記ブロッカマージンを最適化するように調整される、
前記調整された線形ターゲットに基づいて、受信機フロントエンド利得を調整することと
を行うように前記プロセッサによって実行可能である、ワイヤレス通信デバイス。
【請求項１２】
ブロッカ信号レベルが検出されるとき、前記ＡＤＣの前記出力において十分な所望信号ＳＮＲを確保しつつ、より多くのブロッカマージンを提供するように、前記線形ターゲットが調整される、請求項１１に記載のワイヤレス通信デバイス。
【請求項１３】
前記線形ターゲットを調整するように実行可能な前記命令は、
前記測定されたブロッカ信号レベルに基づいて、異なる線形ターゲットの中から前記線形ターゲットを選択するように実行可能な命令を備え、ここにおいて、前記異なる線形ターゲットの各々は、異なるブロッカ信号レベルに対応する、請求項１１に記載のワイヤレス通信デバイス。
【請求項１４】
前記線形ターゲットは、弱いブロッカ信号レベルと比較して、強いブロッカ信号レベルが検出されるときより大きいブロッカマージンを提供するように調整される、請求項１１に記載のワイヤレス通信デバイス。
【請求項１５】
前記線形ターゲットは、どのブロッカ信号レベルにも対応しない初期線形ターゲットから調整される、請求項１１に記載のワイヤレス通信デバイス。
【請求項１６】
前記線形ターゲットは、所与の所望信号レベル測定に適用すべき前記受信機フロントエンド利得を指定する、請求項１１に記載のワイヤレス通信デバイス。
【請求項１７】
前記所望信号レベルは、前記線形ターゲットが線形ターゲット領域内のどの所望信号レベルについても一定のままとなるように、前記受信機フロントエンド利得と線形関係を有する、請求項１１に記載のワイヤレス通信デバイス。
【請求項１８】
ブロッカマージンの動的サイジングのための装置であって、
所望信号レベルおよびブロッカ信号レベルを測定するための手段と、
前記ブロッカ信号レベルに基づいて、受信機のアナログ／デジタル変換器（ＡＤＣ）の前記出力における前記所望信号レベルについての線形ターゲットを調整するための手段と、ここにおいて、前記線形ターゲットは、所望信号信号対ノイズ比（ＳＮＲ）および前記ブロッカマージンを最適化するように調整される、
前記調整された線形ターゲットに基づいて、受信機フロントエンド利得を調整するための手段と
を備える装置。
【請求項１９】
ブロッカ信号レベルが検出されるとき、前記ＡＤＣの前記出力において十分な所望信号ＳＮＲを確保しつつ、より多くのブロッカマージンを提供するように、前記線形ターゲットが調整される、請求項１８に記載の装置。
【請求項２０】
前記線形ターゲットを前記調整するための手段は、
前記測定されたブロッカ信号レベルに基づいて、異なる線形ターゲットの中から前記線形ターゲットを選択するための手段を備え、ここにおいて、前記異なる線形ターゲットの各々は、異なるブロッカ信号レベルに対応する、請求項１８に記載の装置。
【請求項２１】
前記線形ターゲットは、弱いブロッカ信号レベルと比較して、強いブロッカ信号レベルが検出されるときより大きいブロッカマージンを提供するように調整される、請求項１８に記載の装置。
【請求項２２】
前記線形ターゲットは、どのブロッカ信号レベルにも対応しない初期線形ターゲットから調整される、請求項１８に記載の装置。
【請求項２３】
前記線形ターゲットは、所与の所望信号レベル測定に適用すべき前記受信機フロントエンド利得を指定する、請求項１８に記載の装置。
【請求項２４】
前記所望信号レベルは、前記線形ターゲットが線形ターゲット領域内のどの所望信号レベルについても一定のままとなるように、前記受信機フロントエンド利得と線形関係を有する、請求項１８に記載の装置。
【請求項２５】
ブロッカマージンの動的サイジングのためのコンピュータプログラム製品であって、前記コンピュータプログラム製品は、命令を有する非一時的なコンピュータ読取可能な媒体を備え、前記命令は、
所望信号レベルおよびブロッカ信号レベルを測定することをワイヤレス通信デバイスに行わせるためのコードと、
前記ブロッカ信号レベルに基づいて、受信機のアナログ／デジタル変換器（ＡＤＣ）の前記出力における前記所望信号レベルについての線形ターゲットを調整することを前記ワイヤレス通信デバイスに行わせるためのコードと、ここにおいて、前記線形ターゲットは、所望信号信号対ノイズ比（ＳＮＲ）および前記ブロッカマージンを最適化するように調整される、
前記調整された線形ターゲットに基づいて、受信機フロントエンド利得を調整することを前記ワイヤレス通信デバイスに行わせるためのコードと
を備える、コンピュータプログラム製品。
【請求項２６】
ブロッカ信号レベルが検出されるとき、前記ＡＤＣの前記出力において十分な所望信号ＳＮＲを確保しつつ、より多くのブロッカマージンを提供するように、前記線形ターゲットが調整される、請求項２５に記載のコンピュータプログラム製品。
【請求項２７】
前記線形ターゲットを調整することを前記ワイヤレス通信デバイスに行わせるための前記コードは、
前記測定されたブロッカ信号レベルに基づいて、異なる線形ターゲットの中から前記線形ターゲットを選択することを前記ワイヤレス通信デバイスに行わせるためのコードを備える、ここにおいて、前記異なる線形ターゲットの各々は、異なるブロッカ信号レベルに対応する、請求項２５に記載のコンピュータプログラム製品。
【請求項２８】
前記線形ターゲットは、弱いブロッカ信号レベルと比較して、強いブロッカ信号レベルが検出されるときより大きいブロッカマージンを提供するように調整される、請求項２５に記載のコンピュータプログラム製品。
【請求項２９】
前記線形ターゲットは、所与の所望信号レベル測定に適用すべき前記受信機フロントエンド利得を指定する、請求項２５に記載のコンピュータプログラム製品。
【請求項３０】
前記所望信号レベルは、前記線形ターゲットが線形ターゲット領域内のどの所望信号レベルについても一定のままとなるように、前記受信機フロントエンド利得と線形関係を有する、請求項２５に記載のコンピュータプログラム製品。
【発明の詳細な説明】
【技術分野】
【０００１】
[0001]  本開示は一般に、ワイヤレス通信に関する。より具体的には、本開示は、受信機の自動利得制御（ＡＧＣ：automatic gain control）によるブロッカマージン(blocker margin)の動的サイジング(dynamic sizing)に関する。
【背景技術】
【０００２】
[0002]  過去数十年間で、電子デバイスの使用は一般化してきた。とりわけ、電子技術の進歩により、ますます複雑かつ有用な電子デバイスのコストが低減した。コスト低減および消費者の需要は、電子デバイスが現代社会で事実上ユビキタスになるほど、それらの使用を激増させた。電子デバイスの使用が拡大するにつれ、電子デバイスの新しいおよび改善された特徴に対する需要も拡大してきた。より具体的には、より速く、より効率的に、またはより高い品質で機能を行う電子デバイスが多くの場合求められる。
【０００３】
[0003]  いくつかの電子デバイスは、他の電子デバイスと通信する。これらの電子デバイスは、電磁信号を送信および／または受信し得る。例えば、スマートフォンは、信号を、別のデバイス（例えば、ラップトップコンピュータ、車両内の電子コンソール、ワイヤレスヘッドセット、等）に送信し得るおよび／またはそれから受信し得る。別の例では、ワイヤレスヘッドセットが、信号を、別のデバイス（例えば、ラップトップコンピュータ、ゲームコンソール、スマートフォン、等）に送信し得るおよび／またはそれから受信し得る。
【０００４】
[0004]  しかしながら、特定の課題がワイヤレス通信において生じる。例えば、ブロッカ信号が、ワイヤレス通信デバイスで所望信号に干渉し得る。この干渉を緩和するために、ワイヤレス通信デバイスは、ブロッカ信号を検知およびフィルタ処理するためのブロッカマージンを提供し得る。本考察から見られるように、ワイヤレス通信を改善するブロッカマージンサイジングのためのシステムおよび方法は有益であり得る。
【発明の概要】
【０００５】
[0005]  受信機の自動利得制御（ＡＧＣ）によるブロッカマージンの動的サイジングのための方法が説明される。方法は、所望信号レベルおよびブロッカ信号レベルを測定することを含む。方法はまた、ブロッカ信号レベルに基づいて、受信機のアナログ／デジタル変換器（ＡＤＣ：analog-to-digital converter）の出力における所望信号レベルについての線形ターゲットを調整することを含む。線形ターゲットは、所望信号信号対ノイズ比（ＳＮＲ：signal-to-noise ratio）およびブロッカマージンを最適化するように調整される。方法は、調整された線形ターゲットに基づいて、受信機フロントエンド利得を調整することをさらに含む。
【０００６】
[0006]  ブロッカマージンは、所望信号ＳＮＲを考慮した後に残るＡＤＣのダイナミックレンジの量であり得る。ブロッカ信号レベルが検出されるとき、ＡＤＣの出力において十分な所望信号ＳＮＲを確保しつつ、より多くのブロッカマージンを提供するように、線形ターゲットが調整され得る。
【０００７】
[0007]  線形ターゲットを調整することは、測定されたブロッカ信号レベルに基づいて、異なる線形ターゲットの中から線形ターゲットを選択することを含み得る。異なる線形ターゲットの各々は、異なるブロッカ信号レベルに対応し得る。線形ターゲットは、弱いブロッカ信号レベルと比較して、強いブロッカ信号レベルが検出されるときより大きいブロッカマージンを提供するように調整され得る。
【０００８】
[0008]  線形ターゲットは、どのブロッカ信号レベルにも対応しない初期線形ターゲットから調整され得る。線形ターゲットは、所与の所望信号レベル測定に適用すべき受信機フロントエンド利得を指定し得る。所望信号レベルは、線形ターゲットが線形ターゲット領域内のどの所望信号レベルについても一定のままとなるように、受信機フロントエンド利得と線形関係を有し得る。
【０００９】
[0009]  ブロッカマージンの動的サイジングは、データパケットを受信すると発生し得る。所望信号レベルおよびブロッカ信号レベルは、デジタルサブシステムにおいてインバンド(in-band)で測定され得る。
【００１０】
[0010]  ブロッカマージンの動的サイジングのためのワイヤレス通信デバイスもまた説明される。ワイヤレス通信デバイスは、プロセッサと、このプロセッサと電子通信状態にあるメモリと、このメモリに記憶された命令とを含む。命令は、所望信号レベルおよびブロッカ信号レベルを測定するようにプロセッサによって実行可能である。命令はまた、ブロッカ信号レベルに基づいて、受信機のＡＤＣの出力における所望信号レベルについての線形ターゲットを調整するように実行可能である。線形ターゲットは、所望信号ＳＮＲおよびブロッカマージンを最適化するように調整される。命令は、調整された線形ターゲットに基づいて、受信機フロントエンド利得を調整するようにさらに実行可能である。
【００１１】
[0011]  ブロッカマージンの動的サイジングのための装置もまた説明される。装置は、所望信号レベルおよびブロッカ信号レベルを測定するための手段を含む。装置はまた、ブロッカ信号レベルに基づいて、受信機のＡＤＣの出力における所望信号レベルについての線形ターゲットを調整するための手段を含む。線形ターゲットは、所望のＳＮＲおよびブロッカマージンを最適化するように調整される。装置は、調整された線形ターゲットに基づいて、受信機フロントエンド利得を調整するための手段をさらに含む。
【００１２】
[0012]  ブロッカマージンの動的サイジングのためのコンピュータプログラム製品もまた説明される。コンピュータプログラム製品は、命令を有する非一時的なコンピュータ読取可能な媒体を含む。命令は、所望信号レベルおよびブロッカ信号レベルを測定することをワイヤレス通信デバイスに行わせるためのコードを含む。命令はまた、ブロッカ信号レベルに基づいて、受信機のＡＤＣの出力における所望信号レベルについての線形ターゲットを調整することをワイヤレス通信デバイスに行わせるためのコードを含む。線形ターゲットは、所望信号ＳＮＲおよびブロッカマージンを最適化するように調整される。命令は、調整された線形ターゲットに基づいて、受信機フロントエンド利得を調整することをワイヤレス通信デバイスに行わせるためのコードをさらに含む。
【図面の簡単な説明】
【００１３】
【図１】図１は、ブロッカマージンの動的サイジングのためのワイヤレス通信デバイスの一構成を例示するブロック図である。
【図２】図２は、ブロッカマージンの動的サイジングのための方法を例示するフロー図である。
【図３】図３は、線形ターゲットと所望信号信号対ノイズ比（ＳＮＲ）とブロッカマージンとの関係を例示する例である。
【図４】図４は、所望信号レベルに対する受信機フロントエンド利得およびブロッカマージンの関係を例示する例である。
【図５】図５は、ブロッカマージンの動的サイジングのための別の方法を例示するフロー図である。
【図６】図６は、ブロッカマージンの動的サイジングのためのさらに別の方法を例示するフロー図である。
【図７】図７は、ブロッカマージンの動的サイジングのために構成された受信機の一構成を例示するブロック図である。
【図８】図８は、ワイヤレス通信デバイス内に含まれ得る特定の構成要素を例示する。
【発明の詳細な説明】
【００１４】
[0021]  受信機（例えば、Ｂｌｕｅｔｏｏｔｈ（登録商標）受信機）は、通常動作のために、より高いブロッカマージンをサポートすることから利益を享受し得る。ブロッカ信号は、所望信号に干渉する信号である。ブロッカ信号は、他のＢｌｕｅｔｏｏｔｈ信号または（共存のケースで）ＷＬＡＮであり得る。１つのアプローチでは、ブロッカ干渉が、アナログフロントエンド無線設計のダイナミックレンジを増加させることで緩和され得るが、これは、電力および面積を代償にして成り立つ（comes at a cost）。
【００１５】
[0022]  フロントエンド利得は、受信機の（面積および電力の観点から）高価な側面（aspect）である。自動利得制御（ＡＧＣ）は、正しい利得を選択することでアナログフロントエンドのサイズを縮小するために使用され得る。ＡＧＣでの課題は、所望信号のために十分なＳＮＲを有するように適切に信号をサイジングすることである。別の制約は、（ＳＮＲ要件に加えて）ブロッカマージンのために十分なヘッドルームを残すことである。
【００１６】
[0023]  典型的に、ＡＧＣは、所望信号受信信号強度インジケータ（ＲＳＳＩ）に基づいて、受信された信号をサイジングし得るか、固定のブロッカマージンを与えるために（ジャマー検出器とも呼ばれる）ブロッカ検出器を有し得る。本明細書におけるシステムおよび方法によれば、（ジャマー信号とも呼ばれる）ブロッカ信号のレベルはまた、最良のブロッカマージンを提供し、アナログ／デジタル（ＡＤＣ）の出力において十分なＳＮＲを保つために最適なフロントエンド利得を決定することにも使用され得る。
【００１７】
[0024]  添付の図面に関連して以下に示される詳細な説明は、本開示の例示的な実施形態の説明として意図されており、本開示が実践され得る唯一の実施形態を表すことは意図されない。本説明全体にわたって使用される「例示的」という用語は、「例、実例、または例示としての役割を果たす」を意味し、必ずしも、他の例示的な実施形態より好ましいまたは有利であると解釈されるべきでない。詳細な説明は、本開示の例示的な実施形態の完全な理解を提供するために特定の詳細を含む。いくつかの事例では、いくつかのデバイスが、ブロック図形式で示される。
【００１８】
[0025]  説明を簡潔にする目的で、方法は、一連の行為で示されたり説明されたりするが、いくつかの行為が、１つまたは複数の態様に従って、本明細書で示されたり説明されたりする順序とは異なる順序でおよび／または他の行為と同時に発生し得るため、これら方法がその順序の行為によって制限されないことを理解および認識されたい。例えば、当業者であれば、方法が、状態図にあるような、一連の相関状態またはイベントとして代替的に表され得ることを理解および認識するであろう。さらに、例示された全ての行為が、１つまたは複数の態様に従って方法を実施するのに必要とされ得るわけでない。
【００１９】
[0026]  様々な構成が、同様の参照番号が機能的に類似した要素を示し得る図を参照してここから説明される。本明細書で概して説明されおよび図で例示されるシステムおよび方法は、多種多様な構成で配列および設計され得る。ゆえに、図で表されるような、いくつかの構成の以下のより詳細な説明は、特許請求の範囲に記載される範囲を限定するよう意図されておらず、これらシステムおよび方法を代表するものにすぎない。
【００２０】
[0027]  図１は、ブロッカマージン１２６の動的サイジングのためのワイヤレス通信デバイス１０２の一構成を例示するブロック図である。ワイヤレス通信デバイス１０２の例には、カメラ、ビデオカムコーダ、デジタルカメラ、セルラ電話、スマートフォン、コンピュータ（例えば、デスクトップコンピュータ、ラップトップコンピュータ、等）、タブレットデバイス、メディアプレーヤ、テレビジョン、自動車、ロボット、ヘルスケア機器、ゲーミングコンソール、携帯情報端末（ＰＤＡ）、セットトップボックス、等が含まれる。ワイヤレス通信デバイス１０２は、１つまたは複数の構成要素または要素を含み得る。構成要素または要素のうちの１つまたは複数は、ハードウェア（例えば、回路）またはハードウェアとソフトウェアとの組み合わせ（例えば、命令を有するプロセッサ）により実施され得る。
【００２１】
[0028]  いくつかのワイヤレス通信デバイス１０２は、複数の通信技術を利用し得る。例えば、１つの通信技術は、モバイルワイヤレスシステム（ＭＷＳ）（例えば、セルラ）通信に対して利用され得、別の通信技術は、ワイヤレス接続性（ＷＣＮ）通信に対して利用され得る。ＭＷＳは、より大きいワイヤレスネットワーク（例えば、ワイヤレスワイドエリアネットワーク（ＷＷＡＮ）、セルラ電話ネットワーク、ロングタームエボリューション（ＬＴＥ（登録商標））ネットワーク、モバイル通信のためのグローバルシステム（ＧＳＭ（登録商標））ネットワーク、符号分割多元接続（ＣＤＭＡ）ネットワーク、ＣＤＭＡ２０００ネットワーク、広帯域ＣＤＭＡ（Ｗ−ＣＤＭＡ（登録商標））ネットワーク、ユニバーサルモバイル電気通信システム（ＵＭＴＳ）ネットワーク、ＷｉＭＡＸ（Worldwide Interoperability for Microwave Access）ネットワーク、等）を指し得る。ＷＣＮは、比較的小さいワイヤレスネットワーク（例えば、ワイヤレスローカルエリアネットワーク（ＷＬＡＮ）、ワイヤレスパーソナルエリアネットワーク（ＷＰＡＮ）、ＩＥＥＥ８０２．１１（Ｗｉ−Ｆｉ）ネットワーク、Ｂｌｕｅｔｏｏｔｈ（ＢＴ）ネットワーク、ワイヤレスユニバーサルシリアルバス（ＵＳＢ）ネットワーク、等）を指し得る。
【００２２】
[0029]  「ネットワーク」および「システム」という用語は、多くの場合、交換して使用される。ＣＤＭＡネットワークは、ユニバーサル地上無線アクセス（ＵＴＲＡ）、ｃｄｍａ２０００のような無線技術を実施し得る。ＵＴＲＡは、Ｗ−ＣＤＭＡおよび低チップレート（ＬＣＲ）を含み、ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ）のような無線技術を実施し得る。ＯＦＤＭＡネットワークは、次世代型ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭＡのような無線技術を実施し得る。ＵＴＲＡ、Ｅ−ＵＴＲＡ、およびＧＳＭは、ユニバーサルモバイル電気通信システム（ＵＭＴＳ）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナーシッププロジェクト（３ＧＰＰ（登録商標））」という名称の団体からの文書で説明されている。ｃｄｍａ２０００は、「第３世代パートナーシッププロジェクト２（３ＧＰＰ２）」という名称の団体からの文書で説明されている。
【００２３】
[0030]  第３世代パートナーシッププロジェクト（３ＧＰＰ）は、グローバルに適用可能な第３世代（３Ｇ）モバイル電話仕様を定義することを目的とした、電気通信アソシエーションのグループ間のコラボレーションである。３ＧＰＰロングタームエボリューション（ＬＴＥ）は、ユニバーサルモバイル電気通信システム（ＵＭＴＳ）モバイル電話規格を改善することを目的とした、３ＧＰＰプロジェクトである。３ＧＰＰは、次世代のモバイルネットワーク、モバイルシステム、およびモバイルデバイスのための仕様を定義し得る。
【００２４】
[0031]  ワイヤレス通信デバイス１０２は、アンテナ１０８と受信機１１０とを含み得る。アンテナ１０８は、無線周波数（ＲＦ）信号を受信し得る。これらＲＦ信号は、所望信号１０４とブロッカ信号１０６とを含み得る。
【００２５】
[0032]  信号（例えば、所望信号１０４）は、アンテナ１０８によって受信され、信号調節のためにアナログフロントエンド１１２に供給され得る。アナログフロントエンド１１２は、ＲＦフロントエンドとも呼ばれ得る。ある例において、アナログフロントエンド１１２は、インピーダンス整合回路、バンドパスフィルタ（ＢＰＦ）、ＲＦ増幅器（例えば、低ノイズ増幅器）、局部発振器（ＬＯ）、およびミキサのうちの１つまたは複数を含み得る。受信された信号は、ベースバンドに近い同相（Ｉ）および直交（Ｑ）成分へとミキサによって混合され得、次いでデジタル化され得る。
【００２６】
[0033]  アナログフロントエンド１１２は、アナログ／デジタル変換器（ＡＤＣ）１１４に中間周波数を供給し得、それは、この信号をデジタル化する。ＡＤＣ１１４は、その帯域幅（例えば、それが測定できる周波数の範囲）とその信号対ノイズ比（ＳＮＲ）とを特徴とし得る。本明細書で使用される場合、ＳＮＲは、バックグラウンドノイズに対する、測定された信号の精度を示す。
【００２７】
[0034]  デジタル化された信号は、さらなる処理（例えば、ＩＦフィルタ処理、復調、復号、等）のためにデジタルサブシステム１１６に供給され得る。デジタルサブシステム１１６は、デジタルフィルタ、モデム、および／またはデジタルシグナルプロセッサ（ＤＳＰ）を含み得る。チャネライゼーションフィルタ処理、ＤＣオフセット除去、タイミングアライメント、周波数推定、シンボル検出、および他のデジタル動作が、デジタル化されたサンプルに対して行われ得る。
【００２８】
[0035]  ワイヤレス通信デバイス１０２は、所望信号１０４を受信し得る。所望信号１０４は、受信機１１０による処理に対して望ましい信号である。例えば、Ｂｌｕｅｔｏｏｔｈ受信機のケースにおいて、所望信号１０４は、Ｂｌｕｅｔｏｏｔｈ信号であり得る。
【００２９】
[0036]  ブロッカ信号１０６は、所望信号１０４以外の望ましくないまたは予想外の信号である。ブロッカ信号１０６は、ブロッカまたは妨害信号とも呼ばれ得る。ブロッカ信号１０６が所望信号１０４に近い周波数を有するため、ブロッカ信号１０６は、受信機１１０のアナログフロントエンド１１２によってフィルタ除去されないであろう。ブロッカ信号１０６は、ノイズを発生させ（cause）得る、または、所望信号１０４に干渉し得る。
【００３０】
[0037]  １つのケースにおいて、ブロッカ信号１０６は、所望信号１０６と同じ通信技術であり得る。Ｂｌｕｅｔｏｏｔｈ受信機１１０の例において、ブロッカ信号１０６は、別のＢｌｕｅｔｏｏｔｈ信号であり得る。ワイヤレス通信デバイス１０２が複数の通信技術（例えば、ＢｌｕｅｔｏｏｔｈおよびＷＬＡＮ）を使用して通信する共存のケースにおいて、ブロッカ信号１０６は、所望信号１０４（例えば、ＷＬＡＮ）の技術以外の技術によるものであり得る。さらに別のケースにおいて、ブロッカ信号１０６は、送信された信号の高調波であり得、ここで、この高調波の周波数は、所望信号の周波数に近い。
【００３１】
[0038]  １つのシナリオにおいて、ブロッカ信号１０６は、リモートデバイスから送信され得る。別のシナリオにおいて、ブロッカ信号１０６は、ワイヤレス通信デバイス１０２自体によって送信され得る。例えば、共存において、ワイヤレス通信デバイス１０２は、所望のＢｌｕｅｔｏｏｔｈ信号と周波数が近いＷＬＡＮ信号を送信し得る。このＷＬＡＮ信号が、Ｂｌｕｅｔｏｏｔｈ受信機によって受信され得るため、干渉を引き起こす。
【００３２】
[0039]  受信機１１０は、通常動作のために、高いブロッカ信号１０６に対応すべきである。１つのアプローチにおいて、ブロッカ信号１０６の影響は、アナログフロントエンド１１２およびＡＤＣ１１４のダイナミックレンジを増加させることで緩和され得る。しかしながら、このアプローチは、電力およびサイズを代償にして成り立つ。フロントエンド利得は、電力およびサイズの観点から受信機１１０の高価な側面である。
【００３３】
[0040]  デジタルサブシステム１１６は、自動利得制御（ＡＧＣ）１１８を含み得る。受信機１１０の利得は、初期に検出された所望信号レベル１２０に基づいて、動的に調整され得る。ＡＧＣ１１８は、所望信号１０４が受信機１１０のダイナミックレンジの内側にあるように、かつ、所望信号１０４と同期のまたはそれ以降のブロッカ信号１０６が受信機１１０を飽和状態にしないよう十分なヘッドルームが残るように、動的利得調整を行い得る。
【００３４】
[0041]  ＡＧＣ１１８は、正しい利得１３２を選択することでアナログフロントエンド１１２のサイズを縮小し得る。ＡＧＣ１１８での課題は、十分な所望信号ＳＮＲ１２２を有するように適切に所望信号１０４をサイジングすることが可能であることである。別の制約は、（ＳＮＲ要件に加えて）ブロッカマージン１２６のために十分なヘッドルームを残すことである。本明細書で使用される場合、ブロッカマージン１２６は、所望信号ＳＮＲ１２２を考慮した後に残るＡＤＣのダイナミックレンジの量であり得る。
【００３５】
[0042]  あるアプローチでは、ＡＧＣ１１８が、ブロッカ信号１０６の検出に基づいて、アナログフロントエンド１１２の利得１３２を調整し得る。このアプローチでは、どのブロッカ信号１０６も検出されないとき利得１３２の１つのセットが使用され得、ブロッカ信号１０６が検出されるとき利得１３２の別のセットが使用され得る。このアプローチは、固定のブロッカマージン１２６をもたらす。しかしながら、このアプローチは、利得１３２を調整するときにブロッカ信号レベル１２４を考慮しない。例えば、このアプローチは、ブロッカ信号１０６が強いか弱いかを考慮に入れない。これは、ブロッカマージン１２６の不精確なサイジングをもたらし得る。アナログフロントエンド１１２の利得１３２を調整するときにブロッカ信号レベル１２４を考慮することで利益が実現される。
【００３６】
[0043]  本明細書で説明されるシステムおよび方法によれば、ＡＧＣ１１８は、最良のブロッカマージン１２６を生成し、ＡＤＣ１１４の出力において十分な所望信号ＳＮＲ１２２を保つための最適なフロントエンド利得１３２を決定するためにブロッカ信号レベル１２４を使用し得る。
【００３７】
[0044]  ＡＧＣ１１８は、所望信号レベル１２０およびブロッカ信号レベル１２４を測定し得る。例えば、ＡＧＣ１１８は、所望信号レベル１２０の受信信号強度インジケータ（ＲＳＳＩ）およびブロッカ信号レベル１２４のＲＳＳＩを測定し得る。所望信号レベル１２０およびブロッカ信号レベル１２４は、デジタルサブシステム１１６においてインバンドで測定され得る。
【００３８】
[0045]  ＡＧＣ１１８は、ブロッカ信号レベル１２４に基づいて、ＡＤＣ１１４の出力における所望信号レベル１２０についての線形ターゲット１２８を調整し得る。本明細書で使用される場合、線形ターゲット１２８は、ＡＤＣ１１４の出力における、所望信号１０４にとっての所望のレベルである。「線形」という用語は、ＲＦ利得１３２がブロッカ信号１０６のために十分な空間を残すこととなる範囲を指す。線形ターゲット１２８と所望信号ＳＮＲ１２２およびブロッカマージン１２６との関係の例は、図３に関連して説明される。利得１３２の線形スロープの例は、図４に関連して説明される。
【００３９】
[0046]  所望信号レベル１２０についての線形ターゲット１２８は、測定された所望信号レベル１２０に基づいて、受信機フロントエンド利得１３２を調整することで達成され得る。受信機フロントエンド利得１３２を調整した後、ＡＤＣ１１４の出力における所望信号レベル１２０は、線形ターゲット１２８であり得る。線形ターゲット１２８は、ｄＢＦＳ（decibels relative to full scale）で測定され得、ここで、０ｄＢＦＳは、受信機１１０にとっての最大の可能なデシベルレベルである。
【００４０】
[0047]  所望信号レベル１２０が線形ターゲット領域内にある間、フロントエンド利得１３２は、測定された信号レベル１２０と線形関係を有し得る。線形ターゲット領域内の任意の所与の所望信号レベル１２０について、フロントエンド利得１３２は、ＡＤＣ１１４の出力における所望信号レベル１２０を線形ターゲット１２８にシフトするために線形に調整され得る。所望信号レベル１２０が線形ターゲット領域内で受信機フロントエンド利得１３２と線形関係を有するため、線形ターゲット１２８は、線形ターゲット領域内のどの所望信号レベル１２０についても一定のままである。ブロッカ信号１０６が存在するケースでは、線形領域に留まることが有益である。所望信号レベル１２０と、フロントエンド利得１３２と、線形ターゲット１２８との関係についての追加の詳細は、図４に関連して説明される。
【００４１】
[0048]  線形ターゲット１２８は、ブロッカ信号レベル１２４に基づいて、所望信号ＳＮＲ１２２およびブロッカマージン１２６を最適化するように調整され得る。線形ターゲット１２８が減少する（すなわち、ＡＤＣ１１４の出力における所望信号レベル１２０が減少する）につれ、所望信号ＳＮＲ１２２に対して利用可能なダイナミックレンジの量は減少し、ブロッカマージン１２６は増加する。
【００４２】
[0049]  ある例において、（ＡＤＣ１１４の出力における）ＡＤＣのダイナミックレンジは０ｄＢＦＳから−６０ｄＢＦＳであり得る。量子化ノイズは、このケースにおいて−６０ｄＢＦＳであり、０ｄＢＦＳで飽和が起こる。ＡＧＣ１１８は、ＡＤＣの出力における所望信号レベル１２０をｄＢＦＳで表す線形ターゲット１２８を設定し得る。例えば、線形ターゲットは、−２０ｄＢＦＳに設定され得、これは、所望信号ＳＮＲ１２２の４０ｄＢと、ブロッカマージン１２６の少なくとも２０ｄＢとを提供するであろう。
【００４３】
[0050]  ブロッカ信号レベル１２４が検出されるとき、ＡＧＣ１１８は、ＡＤＣ１１４の出力において十分な所望信号ＳＮＲ１２２を確保しつつ、より多くのブロッカマージン１２６を提供するように線形ターゲット１２８を調整し得る。線形ターゲット１２８は、弱いブロッカ信号レベル１２４と比較して、強いブロッカ信号レベル１２４が検出されるときより大きいブロッカマージン１２６を提供するように調整され得る。
【００４４】
[0051]  線形ターゲット１２８の調整は、測定されたブロッカ信号レベル１２４に基づいて、異なる線形ターゲット１２８の中から線形ターゲット１２８を選択することを含み得る。異なる線形ターゲット１２８の各々は、異なるブロッカ信号レベル１２４に対応し得る。
【００４５】
[0052]  ある実施形態では、３つの異なる線形ターゲット１２８が使用され得る。デフォルトの線形ターゲット１２８は、どのブロッカ信号レベル１２４も検出されないときに使用され得る。このケースでは、所望信号ＳＮＲ１２２が最大化され得、ブロッカマージン１２６が最小化され得る。弱いブロッカ信号レベル１２４の場合、所望信号ＳＮＲ１２２を減少させつつブロッカマージン１２６を増加させる弱いブロッカ線形ターゲット１２８が使用され得る。強いブロッカ信号レベル１２４の場合、所望信号ＳＮＲ１２２をさらに減少させつつブロッカマージン１２６をさらに増加させる強いブロッカ線形ターゲット１２８が使用され得る。この例は３つの線形ターゲット１２８を説明するが、これは、異なるブロッカ信号レベル１２４に対応する任意の数の線形ターゲット１２８に一般化され得る。
【００４６】
[0053]  この実施形態の例において、ダイナミックレンジは、０ｄＢＦＳから−６０ｄＢＦＳであり、デフォルトの線形ターゲット１２８は、−３５ｄＢＦＳであり得る。これは、所望信号ＳＮＲ１２２に２５ｄＢを、ブロッカマージン１２６に３５ｄＢを提供する。ＡＧＣ１１８は、どのブロッカ信号レベル１２４も検出されないとき、このデフォルトの線形ターゲット１２８を使用し得る。弱いブロッカ信号レベル１２４の場合、ＡＧＣ１１８は、−４０ｄＢＦＳの線形ターゲット１２８を選択し得、これは、所望信号ＳＮＲ１２２に２０ｄＢを、ブロッカマージン１２６に４０ｄＢを提供する。強いブロッカ信号レベル１２４の場合、ＡＧＣ１１８は、−４６ｄＢＦＳの線形ターゲット１２８を選択し得、これは、所望信号ＳＮＲ１２２に１４ｄＢを、ブロッカマージン１２６に４６ｄＢを提供する。
【００４７】
[0054]  最小の所望信号ＳＮＲ１２２は維持され得る。例えば、Ｂｌｕｅｔｏｏｔｈ仕様は、所望信号１０４に対して少なくとも１４ｄＢのＳＮＲを必要とする。従って、非常に強いブロッカ信号レベル１２４についてブロッカマージン１２６をサイジングするとき、最小の所望信号ＳＮＲ１２２が確保され得、残りのダイナミックレンジは、ブロッカマージン１２６に対して使用され得る。
【００４８】
[0055]  所望信号ＳＮＲ１２２を最小値に保つことは望ましくないであろう。例えば、受信機１１０がエラーのないモードで動作するのに十分な所望信号ＳＮＲ１２２が存在しない可能性がある。従って、どのブロッカ信号１０６も存在しないとき、または、非常に弱いブロッカ信号１０６が存在するとき、ＡＧＣ１１８は、より高い所望信号ＳＮＲ１２２を提供する線形ターゲット３２８を選択し得る。
【００４９】
[0056]  ＡＧＣ１１８は、調整された線形ターゲット１２８に基づいて、フロントエンド利得１３２を調整し得る。利得調整のための「アクティブな」要素には、１つまたは複数の増幅器（例えば、ＬＮＡ）および／またはアナログフィルタが含まれ得る。これらの構成要素の各々は、（デジタル信号ラインで設定されるような）設定可能な利得を有する。これらの構成要素に対する利得セッティングの組み合わせを設定することで、特定の所望の総利得１３２が達成され得る。これらのセッティングは、利得テーブル１３４へと編成され得、これは、所望の総利得１３２を達成するために、アナログフロントエンド１１２の特定の構成要素についての利得セッティングを含み得る。所与の所望信号レベル測定の場合、利得テーブル１３４は、線形ターゲット１２８をもたらすアナログフロントエンドの総利得（overall analog front-end gain）１３２を達成するために、この利得セッティングを提供し得る。利得テーブル１３４は、どれだけの利得が必要かからアナログフロントエンド１１２にセッティングする実際の利得１３２への変換の場所である。
【００５０】
[0057]  利得テーブル１３４は、異なる線形ターゲット１２８に対応する利得セッティングのセットを有し得る。例えば、利得セッティングの第１のセットは、デフォルトの線形ターゲット１２８に対応し得、利得セッティングの第２のセットは、弱いブロッカ信号レベル１２４のための線形ターゲット１２８に対応し得、利得セッティングの第３のセットは、強いブロッカ信号レベル１２４のための線形ターゲット１２８に対応し得る。
【００５１】
[0058]  ブロッカ信号レベル１２４に基づいて線形ターゲット１２８を選択すると、ＡＧＣ１１８は、選択された線形ターゲット１２８に対応する、利得テーブル１３４中の利得セッティングのセットを選択し得る。次いで、ＡＧＣ１１８は、利得セッティング１３４の選択されたセットに基づいて、測定された所望信号レベル１２０についての特定の利得セッティングを決定し得る。利得セッティングの複数のセットを有する単一の利得テーブル１３４が説明されているが、別の実施形態では、異なる線形ターゲット１２８に対応する複数の利得テーブル１３４が使用され得る。
【００５２】
[0059]  利得セッティングを決定すると、ＡＧＣ１１８は、１つまたは複数の利得信号１３０をアナログフロントエンド１１２に送り得る。利得信号１３０は、アナログフロントエンド１１２の構成要素に適用すべき利得セッティングを示し得る。
【００５３】
[0060]  ブロッカマージン１２６のサイジングは、パケット単位であり得る。所望信号１０４においてデータパケットを受信すると、ＡＧＣ１１８は、本明細書で説明されるようにブロッカマージンサイジングを行い得る。換言すると、各パケットの初めに、ＡＧＣ１１８は、線形ターゲット１２８を決定するために所望信号レベル１２０およびブロッカ信号レベル１２４を測定し得る。次いで、ＡＧＣ１１８は、パケットの持続時間の間、利得１３２を適用し得る。次のパケットのために、ＡＧＣ１１８は、線形ターゲット１２８をデフォルトの線形ターゲット１２８にリセットし、ブロッカマージンサイジングを再度行い得る。
【００５４】
[0061]  別の実施形態において、ブロッカマージン１２６のサイジングは、スキャンモードで発生し得る。このケースにおいて、線形ターゲット１２８は、デフォルトの線形ターゲット１２８から増加することも減少することもできる。換言すると、利得１３２は、スキャンモードにあるとき、両方向に進むことができる。
【００５５】
[0062]  ＡＧＣ１１８は、所望信号１０４をそのＲＳＳＩに基づいてサイジングし得ることに留意されたい。しかし、ＡＧＣ１１８はまた、より精確なサイジングを達成するために、ブロッカ信号１０６のレベル１２４をモニタおよび測定し、必要に応じて、より多くのブロッカマージン１２６を提供する。これは、特に、１つまたは複数のブロッカ信号１０６が所望信号１０４に干渉するノイズの多い環境において、受信機パフォーマンスを改善し得る。
【００５６】
[0063]  図２は、ブロッカマージン１２６の動的サイジングのための方法２００を例示するフロー図である。方法２００は、受信機１１０の自動利得制御（ＡＧＣ）１１８によって行われ得る。受信機１１０は、所望信号１０４およびブロッカ信号１０６を受信し得る。受信機１１０は、アナログ／デジタル変換器（ＡＤＣ）１１４において、受信された信号をデジタル信号に変換し得る。
【００５７】
[0064]  ＡＧＣ１１８は、所望信号レベル１２０およびブロッカ信号レベル１２４を測定し得る２０２。例えば、ＡＧＣ１１８は、所望信号レベル１２０およびブロッカ信号レベル１２４のＲＳＳＩを測定し得る。所望信号レベル１２０およびブロッカ信号レベル１２４は、デジタルサブシステム１１６においてインバンドで測定され得る。
【００５８】
[0065]  ＡＧＣ１１８は、ブロッカ信号レベル１２４に基づいて、受信機１１０のＡＤＣ１１４の出力における所望信号レベル１２０についての線形ターゲット１２８を調整し得る２０４。線形ターゲット１２８は、ブロッカ信号レベル１２４に基づいて、所望信号ＳＮＲ１２２およびブロッカマージン１２６を最適化するように調整され得る。ある実施形態では、線形ターゲット１２８が減少する（すなわち、ＡＤＣ１１４の出力における所望信号レベル１２０が減少する）につれ、所望信号ＳＮＲ１２２に対して利用可能なダイナミックレンジの量が減少し、ブロッカマージン１２６が増加する。
【００５９】
[0066]  ブロッカ信号レベル１２４が検出されると、ＡＧＣ１１８は、ＡＤＣ１１４の出力において十分な所望信号ＳＮＲ１２２を確保しつつ、より多くのブロッカマージン１２６を提供するために線形ターゲット１２８を調整し得る２０４。線形ターゲット１２８は、弱いブロッカ信号レベル１２４と比較して、強いブロッカ信号レベル１２４が検出されるときより大きいブロッカマージン１２６を提供するように調整され得る２０４。
【００６０】
[0067]  ＡＧＣ１１８は、調整された線形ターゲット１２８に基づいて、受信機フロントエンド利得１３２を調整し得る２０６。線形ターゲット１２８は、所与の所望信号レベル測定に適用すべき受信機フロントエンド利得１３２を指定し得る。フロントエンド利得１３２の調整のためのアクティブな構成要素（例えば、アナログ増幅器およびフィルタ）は、各々、設定可能な利得を有し得る。各構成要素の利得の組み合わせは、アナログフロントエンド１１２のための特定の総利得１３２をもたらし得る。
【００６１】
[0068]  １つまたは複数の利得信号１３０は、受信機１１０の総利得１３２を調整する２０６ために設定可能な構成要素に送られ得る。ある実施形態において、これらセッティングは、利得テーブル１３４へと編成され得、これは、所望の総利得１３２を達成するために、アナログフロントエンド１１２の特定の構成要素についての利得セッティングを含み得る。所与の所望信号レベル測定の場合、利得テーブル１３４は、線形ターゲット１２８をもたらすアナログフロントエンドの総利得１３２を達成するために、この利得セッティングを提供し得る。
【００６２】
[0069]  利得テーブル１３４は、異なる線形ターゲット１２８に対応する利得セッティングのセットを有し得る。利得セッティングを決定すると、ＡＧＣ１１８は、１つまたは複数の利得信号１３０をアナログフロントエンド１１２に送り得る。利得信号１３０は、アナログフロントエンド１１２の構成要素に適用すべき利得セッティングを示し得る。
【００６３】
[0070]  図３は、線形ターゲット３２８と、所望信号ＳＮＲ３２２と、ブロッカマージン３２６との関係を例示する例である。所望信号３０４およびブロッカ信号３０６の周波数が、フロントエンドダイナミックレンジ３４０に関して示される。ブロッカ信号３０６は、周波数オフセット３４２を有し得る。アナログフィルタ処理の特性により、所望信号３０４の周波数に近い特定のブロッカ信号３０６の周波数は、デジタルサブシステム１１６を通過することが許可され得る。
【００６４】
[0071]  線形ターゲット３２８は、アナログフロントエンド１１２の利得１３２を調整した後にＡＤＣ１１４の出力において達成すべき所望信号レベル１２０である。所望信号ＳＮＲ３２２は、所望信号３０４を受信するために確保されるフロントエンドダイナミックレンジ３４０のマージンである。ブロッカマージン１２６は、ＡＤＣ１１４を飽和状態にすることなくブロッカ信号３０６がアナログフロントエンド１１２を通り抜けるのを可能にするための十分な空間を提供するために使用され得る残りのダイナミックレンジ３４０である。次いで、ブロッカ信号３０６は、デジタルサブシステム１１６によってフィルタ処理され得る。
【００６５】
[0072]  この例において、フロントエンドダイナミックレンジ３４０は、ＡＤＣ１１４の出力において６０ｄＢ（０ｄＢＦＳから−６０ｄＢＦＳ）であり、０ｄＢＦＳは、クリッピング（clipping）なしに受信機１１０が対処できる最大信号レベルを表す。量子化ノイズは、−６０ｄＢＦＳで発生する。
【００６６】
[0073]  所望信号３０４ａおよびに関する第１の例において、第１の線形ターゲット３２８ａは、−３５ｄＢＦＳである。この第１の線形ターゲット３２８ａにおいて、所望信号ＳＮＲ３２２ａは、第１の線形ターゲット３２８ａからダイナミックレンジ３４０を差し引くことで決定され、これは、所望信号ＳＮＲ３２２ａに対して２５ｄＢを与える（yield）。ダイナミックレンジ３４６の残りの３５ｄＢは、ブロッカマージン３２６ａに対して利用可能である。
【００６７】
[0074]  所望信号３０４ｂおよびブロッカ信号３０６ｂに関する第２の例において、ブロッカ信号３０６ｂは、第１の例の場合より大きい。この例において、第２の線形ターゲット３２８ｂは、−４２ｄＢＦＳに下げられる。この第２の線形ターゲット３２８ｂで、所望信号ＳＮＲ３２２ｂは、１６ｄＢであり、ブロッカマージン３２６ｂは、４２ｄＢである。
【００６８】
[0075]  線形ターゲット３２８が減少するにつれ、所望信号ＳＮＲ３２２も減少することに留意されたい。同時に、線形ターゲット３２８が減少するにつれ、ブロッカマージン３２６は増加する。
【００６９】
[0076]  図４は、所望信号レベル４２０に対する受信機フロントエンド利得４３２およびブロッカマージン４２６の関係を例示する例である。この例において、所望信号レベル４２０は、ｄＢｍで測定されたＲＳＳＩであり得る。例えば、所望信号レベル４２０は、デジタルサブシステム１１６中のＡＧＣ１１８によってインバンドで測定され得る。
【００７０】
[0077]  ある実施形態において、所望信号レベル４２０は、異なる領域に関連付けられ得る。所望信号レベル４２０は、探索利得領域４４６、線形ターゲット領域４４８、非線形領域４５０、または高度線形ターゲット領域４５２のうちの１つに入り得る。
【００７１】
[0078]  所望信号レベル４２０が探索利得領域４４６にあるとき、所望信号レベル４２０は弱い。このケースにおいて、利得４３２は、所望信号レベル４２０を受信するのに十分なＳＮＲを確保するために１２２に最大化される。
【００７２】
[0079]  線形ターゲット領域４４８において、所望信号レベル４２０は、線形ターゲット１２８が線形ターゲット領域４４８内のどの所望信号レベル４２０についても一定のままとなるように、受信機フロントエンド利得４３２と線形関係を有する。線形ターゲット領域４４８において、利得４３２は（一定値とは対照的に）線形スロープを有することに留意されたい。
【００７３】
[0080]  第１の線形ターゲット利得カーブ４５４ａは、実線で示される。第１の線形ターゲット１２８に対応する所望信号レベル４２０についての利得４３２は、第１の線形ターゲット利得カーブ４５４ａによって提供される。ある実施形態において、この関係は、利得テーブル１３４において表され得、これは、所与の所望信号レベル４２０についての利得４３２を達成するために、利得セッティングを含み得る。
【００７４】
[0081]  対応するブロッカマージン４２６は、第１の線形ターゲットブロッカマージンカーブ４５６ａによって示される。線形ターゲット領域４４８において、線形ターゲット１２８は一定であることに留意されたい。ブロッカマージン４２６が、線形ターゲット領域４４８において線形ターゲット１２８に反比例するため、ブロッカマージン４２６もまた、線形ターゲット領域４４８において一定である。
【００７５】
[0082]  線形ターゲット１２８は変化し得る。例えば、ブロッカ信号１０６が検出される場合、線形ターゲット１２８は、減少し得る。第２の線形ターゲット利得カーブ４５４ｂは、破線で示される。第２の線形ターゲット１２８に対応する所望信号レベル４２０についての利得４３２は、第２の線形ターゲット利得カーブ４５４ｂによって提供される。ある実施形態において、この関係は、利得テーブル１３４において表され得、これは、第２の線形ターゲット１２８に対応する利得セッティングの第２のセットを含み得る。線形ターゲット１２８の減少が、所与の所望信号レベル４２０についての利得４３２を減少させることに留意されたい。
【００７６】
[0083]  対応するブロッカマージン４２６は、第２の線形ターゲットブロッカマージンカーブ４５６ｂによって示される。ブロッカマージン４２６が線形ターゲット領域４４８において線形ターゲット１２８に反比例するため、線形ターゲット１２８が減少すると、ブロッカマージン４２６は増加する。
【００７７】
[0084]  図５は、ブロッカマージン１２６の動的サイジングのための別の方法５００を例示するフロー図である。方法５００は、受信機１１０のＡＧＣ１１８によって行われ得る。受信機１１０は、所望信号１０４およびブロッカ信号１０６を受信し得る。受信機１１０は、アナログ／デジタル変換器（ＡＤＣ）１１４において、受信された信号をデジタル信号に変換し得る。
【００７８】
[0085]  ＡＧＣ１１８は、所望信号レベル１２０およびブロッカ信号レベル１２４を測定し得る５０２。これは、図１に関連して説明されたように達成され得る。例えば、ＡＧＣ１１８は、所望信号レベル１２０およびブロッカ信号レベル１２４のＲＳＳＩを測定し得る。所望信号レベル１２０およびブロッカ信号レベル１２４は、デジタルサブシステム１１６においてインバンドで測定され得る。
【００７９】
[0086]  ブロッカ信号レベル１２４が検出されると、ＡＧＣ１１８は、ＡＤＣ１１４の出力において十分な所望信号ＳＮＲ１２２を確保しつつ、より多くのブロッカマージン１２６を提供するために線形ターゲット１２８を調整し得る。逆に、どのブロッカ信号レベル１２４も検出されない場合、ＡＧＣ１１８は、ＡＤＣ１１４の出力において、より多くの所望信号ＳＮＲ１２２およびより少ないブロッカマージン１２６を提供するように線形ターゲット１２８を調整（または、維持）し得る。
【００８０】
[0087]  線形ターゲット１２８の調整は、測定されたブロッカ信号レベル１２４に基づいて、異なる線形ターゲット１２８の中から線形ターゲット１２８を選択することを含み得る。異なる線形ターゲット１２８の各々は、異なるブロッカ信号レベル１２４に対応し得る。
【００８１】
[0088]  ＡＧＣ１１８は、ブロッカ信号レベル１２４が検出されたかを決定５０４し得る。どのブロッカ信号レベル１２４も検出されない場合、または、測定されたブロッカ信号レベル１２４がしきい値を下回る場合、ＡＧＣ１１８は、ブロッカなし線形ターゲット（no-blocker linear target）１２８を選択し得る５０６。この線形ターゲット１２８は、どのブロッカ信号レベル１２４も検出されないときに選択され得る初期（例えば、デフォルトの）線形ターゲット１２８であり得る。このケースにおいて、所望信号ＳＮＲ１２２は最大化され得、ブロッカマージン１２６は最小化され得る。次いで、ＡＧＣ１１８は、選択された線形ターゲット１２８に基づいて、受信機フロントエンド利得１３２を調整し得る５１４。これは、図１に関連して説明されたように達成され得る。
【００８２】
[0089]  ブロッカ信号レベル１２４が検出されたとＡＧＣ１１８が決定すると５０４、ＡＧＣ１１８は、強いブロッカ信号レベル１２４が検出されたかどうかを決定し得る５０８。例えば、ＡＧＣ１１８は、ブロッカ信号レベル１２４が強いブロッカしきい値より大きいかを決定し得る。ブロッカ信号レベル１２４が強いブロッカ信号レベル１２４でない場合、ＡＧＣ１１８は、弱いブロッカ線形ターゲット１２８を選択し得る５１０。弱いブロッカ線形ターゲット１２８は、所望信号ＳＮＲ１２２を減少させつつブロッカマージン１２６を増加させ得る。このケースにおいて、ＡＧＣ１１８は、どのブロッカ信号レベル１２４にも対応しない初期線形ターゲット１２８から線形ターゲット１２８を調整する。次いで、ＡＧＣ１１８は、選択された線形ターゲット１２８に基づいて、受信機フロントエンド利得１３２を調整し得る５１４。
【００８３】
[0090]  強いブロッカ信号レベル１２４が検出されたとＡＧＣ１１８が決定すると５０８、ＡＧＣ１１８は、強いブロッカ線形ターゲット１２８を選択し得る５１２。強いブロッカ線形ターゲット１２８は、弱いブロッカ線形ターゲット１２８よりさらにいっそう、ブロッカマージン１２６を増加させ、所望信号ＳＮＲ１２２を減少させ得る。次いで、ＡＧＣ１１８は、選択された線形ターゲット１２８に基づいて、受信機フロントエンド利得１３２を調整し得る５１４。
【００８４】
[0091]  図６は、ブロッカマージン１２６の動的サイジングのためのさらに別の方法６００を例示するフロー図である。方法６００は、受信機１１０のＡＧＣ１１８によって行われ得る。受信機１１０は、所望信号１０４およびブロッカ信号１０６を受信し得る。受信機１１０は、アナログ／デジタル変換器（ＡＤＣ）１１４において、受信された信号をデジタル信号に変換し得る。いくつかのシナリオにおいて、所望信号１０４は、データパケットを含み得る。
【００８５】
[0092]  ＡＧＣ１１８は、データパケットを受信すると、所望信号レベル１２０についての初期線形ターゲット１２８を適用し得る６０２。初期線形ターゲット１２８は、受信された各データパケットの初めに適用されるデフォルトの線形ターゲット１２８であり得る。初期線形ターゲット１２８はブロッカなし信号状態（no-blocker signal condition）に基づき得る。そのため、初期線形ターゲット１２８は、所望信号ＳＮＲ１２２を最大化し、ブロッカマージン１２６を最小化し得る。
【００８６】
[0093]  ＡＧＣ１１８は、所望信号レベル１２０およびブロッカ信号レベル１２４を測定し得る６０４。これは、図１に関連して説明されたように達成され得る。
【００８７】
[0094]  ＡＧＣ１１８は、ブロッカ信号レベル１２４に基づいて、線形ターゲット１２８を調整するかどうかを決定し得る６０６。例えば、どのブロッカ信号レベル１２４も検出されない場合、ＡＧＣ１１８は、所望信号ＳＮＲ１２２を最大化し、ブロッカマージン１２６を最小化するために、初期線形ターゲット１２８を維持し得る。次いで、ＡＧＣ１１８は、初期線形ターゲット１２８に基づいて、受信機フロントエンド利得１３２を調整し得る６０８。これは、図１に関連して説明されたように達成され得る。
【００８８】
[0095]  ブロッカ信号レベル１２４が検出される場合、ＡＧＣ１１８は、新しい線形ターゲット１２８を選択し得る６１０。線形ターゲット１２８の選択は、ブロッカ信号レベル１２４に基づき得る。線形ターゲット１２８は、ＡＤＣ１１４の出力において十分な所望信号ＳＮＲ１２２を確保しつつ、より多くのブロッカマージン１２６を提供するように、選択され得る。次いで、ＡＧＣ１１８は、初期線形ターゲット１２８に基づいて、受信機フロントエンド利得１３２を調整し得る６０８。これは、図１に関連して説明されたように達成され得る。
【００８９】
[0096]  別のデータパケットを受信すると、ＡＧＣ１１８は、初期線形ターゲット１２８を適用する６０２ことで、線形ターゲット１２８をリセットし得る。次いで、ＡＧＣ１１８は、新しいデータパケットについてのブロッカマージン１２６の動的サイジングを行い得る。
【００９０】
[0097]  図７は、ブロッカマージン７２６の動的サイジングのための受信機７１０の一構成を例示するブロック図である。受信機７１０は、図１に関連して説明された受信機１１０に従って実施され得る。
【００９１】
[0098]  受信機７１０は、信号７６０を受信し得る。受信された信号７６０は、所望信号１０４および／またはブロッカ信号１０６を含み得る。受信された信号７６０は、Ｘ帯域ＬＮＡ（ＸＬＮＡ）７６２、Ｓ帯域ＬＮＡ（ＳＬＮＡ）７６４、およびトランスコンダクタンス（ＧＭ）７６６によって増幅され得る。
【００９２】
[0099]  ミキサ７６８は、局部発振器信号を使用して、増幅された信号をベースバンドにダウンコンバートし得る。ダウンコンバートされた信号は、ＩチャネルおよびＱチャネルを含むＤＣおよびベースバンド信号であり得る。アンチエイリアシングフィルタ７７４は、この信号の帯域幅を制限するために信号をフィルタ処理し得る。
【００９３】
[00100]  ＡＤＣ７１４は、信号をサンプリングして、デジタル信号を生成し得る。このデジタル信号は、デジタルフィルタ７７６においてフィルタ処理され得る。フィルタ処理されたデジタル信号は、ブロッカマージン７２６の動的サイジングのための利得セッティングを決定するためにＡＧＣ７１８に供給され得る。これは、図１に関連して説明されるように達成され得る。
【００９４】
[00101]  ＡＧＣ７１８は、インバンドでデジタル信号の同相成分（例えば、Ｉｄｃ）および直交位相成分（例えば、Ｑｄｃ）を測定し得る。ＡＧＣ７１８は、ＲＳＳＩで、所望信号レベル１２０およびブロッカ信号レベル１２４を測定し得る。これらの測定値に基づいて、ＡＧＣ７１８は、所望信号ＳＮＲ１２２およびブロッカマージン７２６を最適化するように線形ターゲット７２８を調整し得る。
【００９５】
[00102]  ＡＧＣ７１８は、線形ターゲット７２８を達成することとなる測定された所望信号レベル１２０に対応する利得セッティングを決定し得る。ＡＧＣ７１８は、ＡＤＣ７１４の出力における所望信号レベル１２０が、選択された線形ターゲット７２８に調整されるように、受信機７１０の総利得１３２を調整するために、ＸＬＮＡ７６２、ＳＬＮＡ７６４、ＧＭ７６６、およびＡＡＦ７７４のうちの少なくとも１つに１つまたは複数の利得信号７３０を送り得る。
【００９６】
[00103]  図８は、ワイヤレス通信デバイス８０２内に含まれ得る特定の構成要素を示す。ワイヤレス通信デバイス８０２は、アクセス端末、モバイル局、ユーザ機器（ＵＥ）、等であり得る。例えば、ワイヤレス通信デバイス８０２は、図１のワイヤレス通信デバイス１０２であり得る。
【００９７】
[00104]  ワイヤレス通信デバイス８０２は、プロセッサ８０３を含む。プロセッサ８０３は、汎用のシングルまたはマルチチップマイクロプロセッサ（例えば、アドバンストＲＩＳＣ（Reduced Instruction Set Computer）マシン（ＡＲＭ））、専用マイクロプロセッサ（例えば、デジタルシグナルプロセッサ（ＤＳＰ））、マイクロコントローラ、プログラマブルゲートアレイ、等であり得る。プロセッサ８０３は、中央処理装置（ＣＰＵ）と呼ばれ得る。図８のワイヤレス通信デバイス８０２中には単一のプロセッサ８０３だけが示されているが、代替の構成では、プロセッサの組み合わせ（例えば、ＡＲＭとＤＳＰ）が使用され得る。
【００９８】
[00105]  ワイヤレス通信デバイス８０２はまた、プロセッサと電子通信状態にあるメモリ８０５を含む（すなわち、プロセッサは、メモリから情報を読み取ることおよび／またはメモリに情報を書き込むことができる）。メモリ８０５は、電子情報を記憶する能力がある任意の電子構成要素であり得る。メモリ８０５は、ランダムアクセスメモリ（ＲＡＭ）、読取専用メモリ（ＲＯＭ）、磁気ディスク記憶媒体、光学記憶媒体、ＲＡＭにおけるフラッシュメモリデバイス、プロセッサと共に含まれるオンボードメモリ、ＥＰＲＯＭメモリ、ＥＥＰＲＯＭ（登録商標）メモリ、レジスタ、等、なお、これらの組み合わせを含む、として構成され得る。
【００９９】
[00106]  データ８０７ａおよび命令８０９ａは、メモリ８０５に記憶され得る。命令は、１つまたは複数のプログラム、ルーチン、サブルーチン、関数、プロシージャ、コード、等を含み得る。命令は、単一のコンピュータ読取可能なステートメントまたは多数のコンピュータ読取可能なステートメントを含み得る。命令８０９ａは、本明細書で開示された方法を実施するようにプロセッサ８０３によって実行可能であり得る。命令８０９ａを実行することは、メモリ８０５に記憶されたデータ８０７ａの使用を伴い得る。プロセッサ８０３が命令８０９を実行すると、命令８０９ｂの様々な部分が、プロセッサ８０３にロードされ得、データ８０７ｂの様々な部分が、プロセッサ８０３にロードされ得る。
【０１００】
[00107]  ワイヤレス通信デバイス８０２はまた、アンテナ８０８を介したワイヤレス通信デバイス８０２への信号の送信およびそこからの信号の受信を可能にするために、送信機８１１および受信機８１０を含み得る。送信機８１１および受信機８１０は、まとめてトランシーバ８１５と呼ばれ得る。ワイヤレス通信デバイス８０２はまた、複数の送信機、複数のアンテナ、複数の受信機、および／または複数のトランシーバを含み得る（図示されない）。
【０１０１】
[00108]  ワイヤレス通信デバイス８０２は、デジタルシグナルプロセッサ（ＤＳＰ）８２１を含み得る。ワイヤレス通信デバイス８０２はまた、通信インターフェース８２３を含み得る。通信インターフェース８２３は、ユーザが、ワイヤレス通信デバイス８０２と対話することを可能にし得る。
【０１０２】
[00109]  ワイヤレス通信デバイス８０２の様々な構成要素は、電力バス、制御信号バス、ステータス信号バス、データバス、等を含み得る１つまたは複数のバスによって互いに結合され得る。明確さのために、図８では、様々なバスがバスシステム８１９として例示されている。
【０１０３】
[00110]  上の説明では、参照番号が、時折、様々な用語に関連して使用されてきた。用語が参照番号に関連して使用される場合、これは、図のうちの１つまたは複数に示される特定の要素を指すことが意図され得る。用語が参照番号なしに使用される場合、これは概して、いずれの特定の図にも制限されることなしにこの用語を指すことが意図され得る。
【０１０４】
[00111]  「決定すること」という用語は、多種多様なアクションを包含するため、「決定すること」は、算出すること、計算すること、処理すること、導出すること、調査すること、ルックアップすること（例えば、表、データベース、または別のデータ構造をルックアップすること）、確認すること、等を含むことができる。また、「決定すること」は、受信すること（例えば、情報を受信すること）、アクセスすること（例えば、メモリ内のデータにアクセスすること）、等を含むことができる。また、「決定すること」は、解決すること、選択すること、選ぶこと、確立すること、等を含むことができる。
【０１０５】
[00112]  「〜に基づいて」という表現は、別途明記されていない限り、「〜だけに基づいて」を意味しない。換言すると、「〜に基づいて」という表現は、「〜だけに基づいて」および「少なくとも〜に基づいて」の両方を説明する。
【０１０６】
[00113]  「プロセッサ」という用語は、汎用プロセッサ、中央処理装置（ＣＰＵ）、マイクロプロセッサ、デジタルシグナルプロセッサ（ＤＳＰ）、コントローラ、マイクロコントローラ、ステートマシン、等を包含するように広く解釈されるべきである。いくつかの状況下では、「プロセッサ」が、特定用途向け集積回路（ＡＳＩＣ）、プログラマブル論理デバイス（ＰＬＤ）、フィールドプログラマブルゲートアレイ（ＦＰＧＡ）、等を指し得る。「プロセッサ」という用語は、処理デバイスの組み合わせ、例えば、デジタルシグナルプロセッサ（ＤＳＰ）と、１つのマイクロプロセッサ、複数のマイクロプロセッサ、デジタルシグナルプロセッサ（ＤＳＰ）コアと連結した１つまたは複数のマイクロプロセッサ、または任意の他のそのような構成との組み合わせを指し得る。
【０１０７】
[00114]  「メモリ」という用語は、電子情報を記憶する能力がある任意の電子構成要素を包含するように広く解釈されるべきである。メモリという用語は、ランダムアクセスメモリ（ＲＡＭ）、読取専用メモリ（ＲＯＭ）、不揮発性ランダムアクセスメモリ（ＮＶＲＡＭ）、プログラマブル読取専用メモリ（ＰＲＯＭ）、消去可能プログラマブル読取専用メモリ（ＥＰＲＯＭ）、電気的消去可能ＰＲＯＭ（ＥＥＰＲＯＭ）、フラッシュメモリ、磁気または光学データ記憶装置、レジスタ、などのような様々なタイプのプロセッサ読取可能な媒体を指し得る。メモリは、プロセッサがそのメモリから情報を読み取ることができ、および／または、そのメモリに情報を書き込むことができる場合、そのプロセッサと電子通信状態にあると考えられる。プロセッサに統合されたメモリは、プロセッサと電子通信状態にある。
【０１０８】
[00115]  「命令」および「コード」という用語は、任意のタイプのコンピュータ読取可能なステートメントを含むように広く解釈されるべきである。例えば、「命令」および「コード」という用語は、１つまたは複数のプログラム、ルーチン、サブルーチン、関数、プロシージャ、等を指し得る。「命令」および「コード」は、単一のコンピュータ読取可能なステートメントまたは多数のコンピュータ読取可能なステートメントを備え得る。
【０１０９】
[00116]  本明細書で説明された機能は、ハードウェアによって実行されているソフトウェアまたはファームウェアにより実施され得る。これら機能は、コンピュータ読取可能な媒体上の１つまたは複数の命令として記憶され得る。「コンピュータ読取可能な媒体」または「コンピュータプログラム製品」という用語は、コンピュータまたはプロセッサによってアクセスされ得る任意の有形の記憶媒体を指す。限定でなく例として、コンピュータ読取可能な媒体が、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいはデータ構造または命令の形式で所望のプログラムコードを記憶または搬送するために使用され得、かつコンピュータによってアクセスされ得る任意の他の媒体を含み得る。本明細書で使用される場合、ディスク（disk）およびディスク（disc）は、コンパクトディスク（ＣＤ）、レーザーディスク（登録商標）、光学ディスク、デジタル多用途ディスク（ＤＶＤ）、フロッピー（登録商標）ディスクおよびブルーレイディスクを含み、ディスク（disk）は、通常磁気的にデータを再生し、ディスク（disc）は、レーザーを用いて光学的にデータを再生する。コンピュータ読取可能な媒体が有形かつ非一時的であり得ることに留意されたい。「コンピュータプログラム製品」という用語は、コンピューティングデバイスまたはプロセッサによって実行、処理、または計算され得るコードまたは命令（例えば、「プログラム」）と組み合わせてコンピューティングデバイスまたはプロセッサを指す。本明細書で使用される場合、「コード」という用語は、コンピューティングデバイスまたはプロセッサによって実行可能であるソフトウェア、命令、コード、またはデータを指し得る。
【０１１０】
[00117]  ソフトウェアまたは命令はまた、送信媒体上で送信され得る。例えば、ソフトウェアが、同軸ケーブル、光ファイバーケーブル、ツイストペア、デジタル加入者回線（ＤＳＬ）、または赤外線、電波、およびマイクロ波のようなワイヤレス技術を使用して、ウェブサイト、サーバ、または他のリモートソースから送信される場合、これらの同軸ケーブル、光ファイバーケーブル、ツイストペア、ＤＳＬ、または赤外線、電波、およびマイクロ波のようなワイヤレス技術は、送信媒体の定義に含まれる。
【０１１１】
[00118]  本明細書で開示された方法は、説明された方法を達成するための１つまたは複数のステップまたはアクションを備える。方法のステップおよび／またはアクションは、特許請求の範囲から逸脱することなく互いに置き換えられ得る。換言すると、ステップまたはアクションの特定の順序が、説明されている方法の適正な動作のために必要とされない限り、特定のステップおよび／またはアクションの順序および／または使用は、特許請求の範囲から逸脱することなく修正され得る。
【０１１２】
[00119]  さらに、図２および図５〜６によって例示されたもののような、本明細書で説明された方法および技法を行うためのモジュールおよび／または他の適切な手段がデバイスによってダウンロードされることおよび／または別の方法で取得され得ることを認識されたい。例えば、デバイスは、本明細書で説明された方法を行うための手段の転送を容易にするために、サーバに結合され得る。代替的に、本明細書で説明された様々な方法は、デバイスに記憶手段を結合することまたは提供することにより、デバイスが様々な方法を取得し得るように、記憶手段（例えば、ランダムアクセスメモリ（ＲＡＭ）、読取専用メモリ（ＲＯＭ）、コンパクトディスク（ＣＤ）またはフロッピーディスクのような物理記憶媒体、等）を介して提供され得る。さらに、本明細書で説明された方法および技法をデバイスに提供するための任意の他の適切な技法が利用され得る。
【０１１３】
[00120]  特許請求の範囲が、上に例示された厳密な構成および構成要素に限定されないことを理解されたい。様々な修正、変更、および変形が、特許請求の範囲から逸脱することなく、本明細書で説明されたシステム、方法、および装置の配置、動作および詳細において行われ得る。
【図１】
2019501571.tif 000003
【図２】
2019501571.tif 000004
【図３】
2019501571.tif 000005
【図４】
2019501571.tif 000006
【図５】
2019501571.tif 000007
【図６】
2019501571.tif 000008
【図７】
2019501571.tif 000009
【図８】
2019501571.tif 000010
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
受信機の自動利得制御（ＡＧＣ）によるブロッカマージンの動的サイジングのための方法であって、
所望信号レベルおよびブロッカ信号レベルを測定することと、
前記ブロッカ信号レベルに基づいて、前記受信機のアナログ／デジタル変換器（ＡＤＣ）の出力における前記所望信号レベルについての線形ターゲットを調整することと、ここにおいて、前記線形ターゲットは、弱いブロッカ信号レベルと比較して、強いブロッカ信号レベルが検出されるときより大きいブロッカマージンを提供するように調整され、前記線形ターゲットは、所望信号信号対ノイズ比（ＳＮＲ）および前記ブロッカマージンを最適化するように調整される、
前記調整された線形ターゲットに基づいて、受信機フロントエンド利得を調整することと
を備える方法。
【請求項２】
前記ブロッカマージンは、前記所望信号ＳＮＲを考慮した後に残るＡＤＣのダイナミックレンジの量である、請求項１に記載の方法。
【請求項３】
ブロッカ信号レベルが検出されるとき、前記ＡＤＣの前記出力において十分な所望信号ＳＮＲを確保しつつ、より多くのブロッカマージンを提供するように、前記線形ターゲットが調整される、請求項１に記載の方法。
【請求項４】
前記線形ターゲットを調整することは、
前記測定されたブロッカ信号レベルに基づいて、異なる線形ターゲットの中から前記線形ターゲットを選択することを備え、ここにおいて、前記異なる線形ターゲットの各々は、異なるブロッカ信号レベルに対応する、請求項１に記載の方法。
【請求項５】
前記線形ターゲットは、どのブロッカ信号レベルにも対応しない初期線形ターゲットから調整される、請求項１に記載の方法。
【請求項６】
前記線形ターゲットは、所与の所望信号レベル測定に適用すべき前記受信機フロントエンド利得を指定する、請求項１に記載の方法。
【請求項７】
前記ブロッカマージンの前記動的サイジングは、データパケットを受信すると発生する、請求項１に記載の方法。
【請求項８】
前記所望信号レベルは、前記線形ターゲットが線形ターゲット領域内のどの所望信号レベルについても一定のままとなるように、前記受信機フロントエンド利得と線形関係を有する、請求項１に記載の方法。
【請求項９】
前記所望信号レベルおよび前記ブロッカ信号レベルは、デジタルサブシステムにおいてインバンドで測定される、請求項１に記載の方法。
【請求項１０】
ブロッカマージンの動的サイジングのためのワイヤレス通信デバイスであって、
プロセッサと、
前記プロセッサと電子通信状態にあるメモリと、
前記メモリに記憶された命令と
を備え、前記命令は、
所望信号レベルおよびブロッカ信号レベルを測定することと、
前記ブロッカ信号レベルに基づいて、受信機のアナログ／デジタル変換器（ＡＤＣ）の出力における前記所望信号レベルについての線形ターゲットを調整することと、ここにおいて、前記線形ターゲットは、弱いブロッカ信号レベルと比較して、強いブロッカ信号レベルが検出されるときより大きいブロッカマージンを提供するように調整され、前記線形ターゲットは、所望信号信号対ノイズ比（ＳＮＲ）および前記ブロッカマージンを最適化するように調整される、
前記調整された線形ターゲットに基づいて、受信機フロントエンド利得を調整することと
を行うように前記プロセッサによって実行可能である、ワイヤレス通信デバイス。
【請求項１１】
ブロッカ信号レベルが検出されるとき、前記ＡＤＣの前記出力において十分な所望信号ＳＮＲを確保しつつ、より多くのブロッカマージンを提供するように、前記線形ターゲットが調整される、請求項１０に記載のワイヤレス通信デバイス。
【請求項１２】
前記線形ターゲットを調整するように実行可能な前記命令は、
前記測定されたブロッカ信号レベルに基づいて、異なる線形ターゲットの中から前記線形ターゲットを選択するように実行可能な命令を備え、ここにおいて、前記異なる線形ターゲットの各々は、異なるブロッカ信号レベルに対応する、請求項１０に記載のワイヤレス通信デバイス。
【請求項１３】
前記線形ターゲットは、どのブロッカ信号レベルにも対応しない初期線形ターゲットから調整される、請求項１０に記載のワイヤレス通信デバイス。
【請求項１４】
前記線形ターゲットは、所与の所望信号レベル測定に適用すべき前記受信機フロントエンド利得を指定する、請求項１０に記載のワイヤレス通信デバイス。
【請求項１５】
前記所望信号レベルは、前記線形ターゲットが線形ターゲット領域内のどの所望信号レベルについても一定のままとなるように、前記受信機フロントエンド利得と線形関係を有する、請求項１０に記載のワイヤレス通信デバイス。
【請求項１６】
ブロッカマージンの動的サイジングのための装置であって、
所望信号レベルおよびブロッカ信号レベルを測定するための手段と、
前記ブロッカ信号レベルに基づいて、受信機のアナログ／デジタル変換器（ＡＤＣ）の出力における前記所望信号レベルについての線形ターゲットを調整するための手段と、ここにおいて、前記線形ターゲットは、弱いブロッカ信号レベルと比較して、強いブロッカ信号レベルが検出されるときより大きいブロッカマージンを提供するように調整され、前記線形ターゲットは、所望信号信号対ノイズ比（ＳＮＲ）および前記ブロッカマージンを最適化するように調整される、
前記調整された線形ターゲットに基づいて、受信機フロントエンド利得を調整するための手段と
を備える装置。
【請求項１７】
ブロッカ信号レベルが検出されるとき、前記ＡＤＣの前記出力において十分な所望信号ＳＮＲを確保しつつ、より多くのブロッカマージンを提供するように、前記線形ターゲットが調整される、請求項１６に記載の装置。
【請求項１８】
前記線形ターゲットを前記調整するための手段は、
前記測定されたブロッカ信号レベルに基づいて、異なる線形ターゲットの中から前記線形ターゲットを選択するための手段を備え、ここにおいて、前記異なる線形ターゲットの各々は、異なるブロッカ信号レベルに対応する、請求項１６に記載の装置。
【請求項１９】
前記線形ターゲットは、どのブロッカ信号レベルにも対応しない初期線形ターゲットから調整される、請求項１６に記載の装置。
【請求項２０】
前記線形ターゲットは、所与の所望信号レベル測定に適用すべき前記受信機フロントエンド利得を指定する、請求項１６に記載の装置。
【請求項２１】
前記所望信号レベルは、前記線形ターゲットが線形ターゲット領域内のどの所望信号レベルについても一定のままとなるように、前記受信機フロントエンド利得と線形関係を有する、請求項１６に記載の装置。
【請求項２２】
ブロッカマージンの動的サイジングのためのコンピュータプログラム製品であって、前記コンピュータプログラム製品は、命令を有する非一時的なコンピュータ読取可能な媒体を備え、前記命令は、
所望信号レベルおよびブロッカ信号レベルを測定することをワイヤレス通信デバイスに行わせるためのコードと、
前記ブロッカ信号レベルに基づいて、受信機のアナログ／デジタル変換器（ＡＤＣ）の出力における前記所望信号レベルについての線形ターゲットを調整することを前記ワイヤレス通信デバイスに行わせるためのコードと、ここにおいて、前記線形ターゲットは、弱いブロッカ信号レベルと比較して、強いブロッカ信号レベルが検出されるときより大きいブロッカマージンを提供するように調整され、前記線形ターゲットは、所望信号信号対ノイズ比（ＳＮＲ）および前記ブロッカマージンを最適化するように調整される、
前記調整された線形ターゲットに基づいて、受信機フロントエンド利得を調整することを前記ワイヤレス通信デバイスに行わせるためのコードと
を備える、コンピュータプログラム製品。
【請求項２３】
ブロッカ信号レベルが検出されるとき、前記ＡＤＣの前記出力において十分な所望信号ＳＮＲを確保しつつ、より多くのブロッカマージンを提供するように、前記線形ターゲットが調整される、請求項２２に記載のコンピュータプログラム製品。
【請求項２４】
前記線形ターゲットを調整することを前記ワイヤレス通信デバイスに行わせるための前記コードは、
前記測定されたブロッカ信号レベルに基づいて、異なる線形ターゲットの中から前記線形ターゲットを選択することを前記ワイヤレス通信デバイスに行わせるためのコードを備える、ここにおいて、前記異なる線形ターゲットの各々は、異なるブロッカ信号レベルに対応する、請求項２２に記載のコンピュータプログラム製品。
【請求項２５】
前記線形ターゲットは、所与の所望信号レベル測定に適用すべき前記受信機フロントエンド利得を指定する、請求項２２に記載のコンピュータプログラム製品。
【請求項２６】
前記所望信号レベルは、前記線形ターゲットが線形ターゲット領域内のどの所望信号レベルについても一定のままとなるように、前記受信機フロントエンド利得と線形関係を有する、請求項２２に記載のコンピュータプログラム製品。
【手続補正２】
【補正対象書類名】明細書
【補正対象項目名】０１１３
【補正方法】変更
【補正の内容】
【０１１３】
[00120]  特許請求の範囲が、上に例示された厳密な構成および構成要素に限定されないことを理解されたい。様々な修正、変更、および変形が、特許請求の範囲から逸脱することなく、本明細書で説明されたシステム、方法、および装置の配置、動作および詳細において行われ得る。
以下に本願発明の当初の特許請求の範囲に記載された発明を付記する。
［Ｃ１］
受信機の自動利得制御（ＡＧＣ）によるブロッカマージンの動的サイジングのための方法であって、
所望信号レベルおよびブロッカ信号レベルを測定することと、
前記ブロッカ信号レベルに基づいて、前記受信機のアナログ／デジタル変換器（ＡＤＣ）の前記出力における前記所望信号レベルについての線形ターゲットを調整することと、ここにおいて、前記線形ターゲットは、所望信号信号対ノイズ比（ＳＮＲ）および前記ブロッカマージンを最適化するように調整される、
前記調整された線形ターゲットに基づいて、受信機フロントエンド利得を調整することと
を備える方法。
［Ｃ２］
前記ブロッカマージンは、前記所望信号ＳＮＲを考慮した後に残る前記ＡＤＣのダイナミックレンジの量である、Ｃ１に記載の方法。
［Ｃ３］
ブロッカ信号レベルが検出されるとき、前記ＡＤＣの前記出力において十分な所望信号ＳＮＲを確保しつつ、より多くのブロッカマージンを提供するように、前記線形ターゲットが調整される、Ｃ１に記載の方法。
［Ｃ４］
前記線形ターゲットを調整することは、
前記測定されたブロッカ信号レベルに基づいて、異なる線形ターゲットの中から前記線形ターゲットを選択することを備え、ここにおいて、前記異なる線形ターゲットの各々は、異なるブロッカ信号レベルに対応する、Ｃ１に記載の方法。
［Ｃ５］
前記線形ターゲットは、弱いブロッカ信号レベルと比較して、強いブロッカ信号レベルが検出されるときより大きいブロッカマージンを提供するように調整される、Ｃ１に記載の方法。
［Ｃ６］
前記線形ターゲットは、どのブロッカ信号レベルにも対応しない初期線形ターゲットから調整される、Ｃ１に記載の方法。
［Ｃ７］
前記線形ターゲットは、所与の所望信号レベル測定に適用すべき前記受信機フロントエンド利得を指定する、Ｃ１に記載の方法。
［Ｃ８］
前記ブロッカマージンの前記動的サイジングは、データパケットを受信すると発生する、Ｃ１に記載の方法。
［Ｃ９］
前記所望信号レベルは、前記線形ターゲットが線形ターゲット領域内のどの所望信号レベルについても一定のままとなるように、前記受信機フロントエンド利得と線形関係を有する、Ｃ１に記載の方法。
［Ｃ１０］
前記所望信号レベルおよび前記ブロッカ信号レベルは、デジタルサブシステムにおいてインバンドで測定される、Ｃ１に記載の方法。
［Ｃ１１］
ブロッカマージンの動的サイジングのためのワイヤレス通信デバイスであって、
プロセッサと、
前記プロセッサと電子通信状態にあるメモリと、
前記メモリに記憶された命令と
を備え、前記命令は、
所望信号レベルおよびブロッカ信号レベルを測定することと、
前記ブロッカ信号レベルに基づいて、受信機のアナログ／デジタル変換器（ＡＤＣ）の前記出力における前記所望信号レベルについての線形ターゲットを調整することと、ここにおいて、前記線形ターゲットは、所望信号信号対ノイズ比（ＳＮＲ）および前記ブロッカマージンを最適化するように調整される、
前記調整された線形ターゲットに基づいて、受信機フロントエンド利得を調整することと
を行うように前記プロセッサによって実行可能である、ワイヤレス通信デバイス。
［Ｃ１２］
ブロッカ信号レベルが検出されるとき、前記ＡＤＣの前記出力において十分な所望信号ＳＮＲを確保しつつ、より多くのブロッカマージンを提供するように、前記線形ターゲットが調整される、Ｃ１１に記載のワイヤレス通信デバイス。
［Ｃ１３］
前記線形ターゲットを調整するように実行可能な前記命令は、
前記測定されたブロッカ信号レベルに基づいて、異なる線形ターゲットの中から前記線形ターゲットを選択するように実行可能な命令を備え、ここにおいて、前記異なる線形ターゲットの各々は、異なるブロッカ信号レベルに対応する、Ｃ１１に記載のワイヤレス通信デバイス。
［Ｃ１４］
前記線形ターゲットは、弱いブロッカ信号レベルと比較して、強いブロッカ信号レベルが検出されるときより大きいブロッカマージンを提供するように調整される、Ｃ１１に記載のワイヤレス通信デバイス。
［Ｃ１５］
前記線形ターゲットは、どのブロッカ信号レベルにも対応しない初期線形ターゲットから調整される、Ｃ１１に記載のワイヤレス通信デバイス。
［Ｃ１６］
前記線形ターゲットは、所与の所望信号レベル測定に適用すべき前記受信機フロントエンド利得を指定する、Ｃ１１に記載のワイヤレス通信デバイス。
［Ｃ１７］
前記所望信号レベルは、前記線形ターゲットが線形ターゲット領域内のどの所望信号レベルについても一定のままとなるように、前記受信機フロントエンド利得と線形関係を有する、Ｃ１１に記載のワイヤレス通信デバイス。
［Ｃ１８］
ブロッカマージンの動的サイジングのための装置であって、
所望信号レベルおよびブロッカ信号レベルを測定するための手段と、
前記ブロッカ信号レベルに基づいて、受信機のアナログ／デジタル変換器（ＡＤＣ）の前記出力における前記所望信号レベルについての線形ターゲットを調整するための手段と、ここにおいて、前記線形ターゲットは、所望信号信号対ノイズ比（ＳＮＲ）および前記ブロッカマージンを最適化するように調整される、
前記調整された線形ターゲットに基づいて、受信機フロントエンド利得を調整するための手段と
を備える装置。
［Ｃ１９］
ブロッカ信号レベルが検出されるとき、前記ＡＤＣの前記出力において十分な所望信号ＳＮＲを確保しつつ、より多くのブロッカマージンを提供するように、前記線形ターゲットが調整される、Ｃ１８に記載の装置。
［Ｃ２０］
前記線形ターゲットを前記調整するための手段は、
前記測定されたブロッカ信号レベルに基づいて、異なる線形ターゲットの中から前記線形ターゲットを選択するための手段を備え、ここにおいて、前記異なる線形ターゲットの各々は、異なるブロッカ信号レベルに対応する、Ｃ１８に記載の装置。
［Ｃ２１］
前記線形ターゲットは、弱いブロッカ信号レベルと比較して、強いブロッカ信号レベルが検出されるときより大きいブロッカマージンを提供するように調整される、Ｃ１８に記載の装置。
［Ｃ２２］
前記線形ターゲットは、どのブロッカ信号レベルにも対応しない初期線形ターゲットから調整される、Ｃ１８に記載の装置。
［Ｃ２３］
前記線形ターゲットは、所与の所望信号レベル測定に適用すべき前記受信機フロントエンド利得を指定する、Ｃ１８に記載の装置。
［Ｃ２４］
前記所望信号レベルは、前記線形ターゲットが線形ターゲット領域内のどの所望信号レベルについても一定のままとなるように、前記受信機フロントエンド利得と線形関係を有する、Ｃ１８に記載の装置。
［Ｃ２５］
ブロッカマージンの動的サイジングのためのコンピュータプログラム製品であって、前記コンピュータプログラム製品は、命令を有する非一時的なコンピュータ読取可能な媒体を備え、前記命令は、
所望信号レベルおよびブロッカ信号レベルを測定することをワイヤレス通信デバイスに行わせるためのコードと、
前記ブロッカ信号レベルに基づいて、受信機のアナログ／デジタル変換器（ＡＤＣ）の前記出力における前記所望信号レベルについての線形ターゲットを調整することを前記ワイヤレス通信デバイスに行わせるためのコードと、ここにおいて、前記線形ターゲットは、所望信号信号対ノイズ比（ＳＮＲ）および前記ブロッカマージンを最適化するように調整される、
前記調整された線形ターゲットに基づいて、受信機フロントエンド利得を調整することを前記ワイヤレス通信デバイスに行わせるためのコードと
を備える、コンピュータプログラム製品。
［Ｃ２６］
ブロッカ信号レベルが検出されるとき、前記ＡＤＣの前記出力において十分な所望信号ＳＮＲを確保しつつ、より多くのブロッカマージンを提供するように、前記線形ターゲットが調整される、Ｃ２５に記載のコンピュータプログラム製品。
［Ｃ２７］
前記線形ターゲットを調整することを前記ワイヤレス通信デバイスに行わせるための前記コードは、
前記測定されたブロッカ信号レベルに基づいて、異なる線形ターゲットの中から前記線形ターゲットを選択することを前記ワイヤレス通信デバイスに行わせるためのコードを備える、ここにおいて、前記異なる線形ターゲットの各々は、異なるブロッカ信号レベルに対応する、Ｃ２５に記載のコンピュータプログラム製品。
［Ｃ２８］
前記線形ターゲットは、弱いブロッカ信号レベルと比較して、強いブロッカ信号レベルが検出されるときより大きいブロッカマージンを提供するように調整される、Ｃ２５に記載のコンピュータプログラム製品。
［Ｃ２９］
前記線形ターゲットは、所与の所望信号レベル測定に適用すべき前記受信機フロントエンド利得を指定する、Ｃ２５に記載のコンピュータプログラム製品。
［Ｃ３０］
前記所望信号レベルは、前記線形ターゲットが線形ターゲット領域内のどの所望信号レベルについても一定のままとなるように、前記受信機フロントエンド利得と線形関係を有する、Ｃ２５に記載のコンピュータプログラム製品。
【国際調査報告】
2019501571.tif 000011
2019501571.tif 000012
2019501571.tif 000013
2019501571.tif 000014
2019501571.tif 000015